(57)【要約】【課題】収納カセットの空状態での取扱性および保管効率を一層向上できる紙幣処理機の提供。【解決手段】布製でいずれの方向にも変形容易な袋体４２と、袋体４２の開口部に取り付けられる金属製の枠体４３と、枠体４３の内側の導入口６１を開閉するスライド式のシャッタ６４とを有し、シャッタ６４が開放された状態で枠体４３の導入口６１を介して袋体４２内に紙幣を収納可能な収納カセット３と、装填された収納カセット３の枠体４３を支持する支持手段と、支持手段で支持した収納カセット３の袋体４２の中間部を窄めた状態とする昇降可能なエレベータ手段１０５とを有する処理機本体とを備え、エレベータ手段１０５が、袋体４２の中間部が相互間に挿入されることで中間部を窄めた状態とする一対の回転可能なローラ２１３を具備する。【選択図】図５
2008171334.tif 000002
【特許請求の範囲】
【請求項１】
布製でいずれの方向にも変形容易な袋体と、該袋体の開口部に取り付けられる枠体と、該枠体の内側の導入口を開閉するスライド式のシャッタとを有し、該シャッタが開放された状態で前記枠体の導入口を介して前記袋体内に紙幣を収納可能な収納カセットと、
装填された前記収納カセットの前記枠体を支持する支持手段と、該支持手段で支持した前記収納カセットの前記袋体の中間部を窄めた状態とする昇降可能なエレベータ手段とを有する処理機本体とを備えた紙幣処理機であって、
前記エレベータ手段は、前記袋体の中間部が相互間に挿入されることで該中間部を窄めた状態とする一対の回転可能なローラを具備することを特徴とする紙幣処理機。
【請求項２】
前記一対のローラは、前記エレベータ手段の昇降に連動して回転することを特徴とする請求項１記載の紙幣処理機。
【請求項３】
前記一対のローラは、回転自在のフリーローラであることを特徴とする請求項１記載の紙幣処理機。
【発明の詳細な説明】
【技術分野】
【０００１】
本発明は、紙幣処理機に関し、特にその収納構造の改良に関する。
【背景技術】
【０００２】
紙幣処理機において、紙幣を収納する収納カセットを処理機本体に対し着脱可能に構成し、この収納カセットを金庫として用いて紙幣の運搬を行うことが行われているが、収納カセットを蛇腹構造にして伸縮可能に構成し、紙幣の収納量に応じて収納容量を変化させることで、空状態での取扱性および保管効率を向上する技術がある（例えば、特許文献１参照）。
【特許文献１】特開２０００−１４９０８８号公報
【発明の開示】
【発明が解決しようとする課題】
【０００３】
しかしながら、上記の収納カセットは、蛇腹構造を採用していることから、伸縮方向の変形は容易であるものの、他の方向への変形は容易ではなく、また、最も縮長させた状態でも十分に小型化できるとは言えなかった。
【０００４】
したがって、本発明は、収納カセットの空状態での取扱性および保管効率を一層向上できる紙幣処理機の提供を目的とする。
【課題を解決するための手段】
【０００５】
上記目的を達成するために、請求項１に係る発明は、布製でいずれの方向にも変形容易な袋体と、該袋体の開口部に取り付けられる枠体と、該枠体の内側の導入口を開閉するスライド式のシャッタとを有し、該シャッタが開放された状態で前記枠体の導入口を介して前記袋体内に紙幣を収納可能な収納カセットと、装填された前記収納カセットの前記枠体を支持する支持手段と、該支持手段で支持した前記収納カセットの前記袋体の中間部を窄めた状態とする昇降可能なエレベータ手段とを有する処理機本体とを備えた紙幣処理機であって、前記エレベータ手段は、相互間に前記袋体の中間部が挿入される一対の回転可能なローラを具備することを特徴としている。
【０００６】
請求項２に係る発明は、請求項１に係る発明において、前記一対のローラは、前記エレベータ手段の昇降に連動して回転することを特徴としている。
【０００７】
請求項３に係る発明は、請求項１に係る発明において、前記一対のローラは、回転自在のフリーローラであることを特徴としている。
【発明の効果】
【０００８】
請求項１に係る発明によれば、布製でいずれの方向にも変形容易な袋体と、袋体の開口部に取り付けられる枠体と、枠体の内側の導入口を開閉するスライド式のシャッタとを有する収納カセットを、その枠体において、処理機本体の支持手段に支持させるとともに、処理機本体のエレベータ手段で袋体の中間部を窄めた状態とする。すると、袋体の窄められた部分が収納空間の底部となって導入口から導入された紙幣をその上側に収納する。そして、例えば収納量が多くなるとエレベータ手段が下降することで袋体の窄めた位置つまり収納空間の底部を下げることができ、収納空間を拡大することができる。このように、紙幣の収納量に応じて収納空間の大きさを設定できるため、紙幣の収納状態が乱雑になることなく良好に収納することができる。そして、空の状態の収納カセットは、袋体が布製でいずれの方向にも変形容易であるため、変形自由度が高くて取扱性に優れることになり、また、一層小さく折り畳むことができることになって保管効率も優れることになる。
しかも、エレベータ手段の一対のローラで窄められた袋体の収納空間の底部を下降させる際に、一対のローラは回転することで袋体との摩擦力が軽減されて、円滑に下降できることになる。
【０００９】
請求項２に係る発明によれば、エレベータ手段の一対のローラで窄められた袋体の収納空間の底部を下降させる際に、一対のローラは下降に連動して回転するため、袋体との摩擦力が軽減されて、円滑に下降できることになる。
【００１０】
請求項３に係る発明によれば、エレベータ手段の一対のローラで窄められた袋体の収納空間の底部を下降させる際に、フリーローラである一対のローラは袋体との摩擦によって摩擦力を軽減するように回転するため、袋体との摩擦力が軽減されて、円滑に下降できることになる。
【発明を実施するための最良の形態】
【００１１】
本発明の第１実施形態の紙幣処理機を図１〜図８を参照して以下に説明する。
第１実施形態の紙幣処理機１は、バラの紙幣Ｓを計数して入金および収納する入金収納処理と、バラの紙幣Ｓを計数して返却する計数処理とを行うことが可能とされるものである。
【００１２】
第１実施形態の紙幣処理機１は、図１に概略的に示すように、処理機本体２と、処理機本体２に対し着脱可能な収納カセット３とを有している。
【００１３】
処理機本体２は、機体の前面２Ａ側の上部にバラ紙幣Ｓが投入される装填部１２が設けられ、この装填部１２の下側に機体内からリジェクト紙幣が繰り出されるリジェクト部１３が設けられている。
【００１４】
装填部１２は、水平に対し若干後ろ下がりに傾斜してその底をなす台部１５を有しており、この台部１５上に紙幣Ｓが上下方向に集積された状態で装填される。なお、台部１５を水平に配置しても良い。
【００１５】
また、装填部１２には、台部１５の機体奥側上方に機体左右方向に沿って配設された回動軸１６と、この回動軸１６に回動可能に支持されて台部１５の上側で上下に揺動可能とされ、台部１５上に装填された紙幣Ｓを台部１５との間で挟持するビルプレス１７とが設けられている。
【００１６】
処理機本体２は、装填部１２の機体奥側に、このように台部１５上に装填されたバラ紙幣Ｓを、下側のものから一枚ずつ分離して機体内に繰り出す分離繰出部２０を有している。この分離繰出部２０は、装填部１２の台部１５に、台部１５から上部を一部突出させた状態で機体左右方向に沿う軸回りに回転可能に設けられた蹴出ローラ２１と、台部１５よりも機体奥側に蹴出ローラ２１と平行な軸回りに回転可能に設けられた繰出ローラ２２と、この繰出ローラ２２の上側に繰出ローラ２２と平行な軸回りに回転可能に設けられた分離ローラ２３とを有している。分離ローラ２３は、図示せぬワンウエイクラッチによって繰出ローラ２２側が紙幣Ｓを機体奥方に移動させる方向の回転、すなわち図１における反時計回り方向の回転が規制され、逆方向の回転のみ許容される。
【００１７】
このような分離繰出部２０は、台部１５上に装填されたバラ紙幣Ｓの最下のものを蹴出ローラ２１で繰出ローラ２２と分離ローラ２３との間に蹴り出し、この蹴り出し時に最下の紙幣Ｓに引きずられて繰出ローラ２２と分離ローラ２３との間に移動した紙幣Ｓを分離ローラ２３で止めて蹴り出された最下の紙幣Ｓのみを繰出ローラ２２で機体内方に繰り出す。
【００１８】
処理機本体２は、分離繰出部２０の機体奥側に接続され、分離繰出部２０から繰り出された紙幣Ｓを搬送する搬送部２５を有している。この搬送部２５は、紙幣Ｓを案内する複数のガイド板と搬送ローラと振分部材等で構成されるもので、分離繰出部２０から略水平に沿って機体奥側に延出した後に下側に折り返し略水平に沿って機体手前側に延出してリジェクト部１３に接続される搬送路２６と、この搬送路２６の途中から分岐して前下がりに延出する搬送路２７とを有しており、搬送路２６には、搬送中の紙幣Ｓの金種、真偽、正損および搬送異常の識別と計数とを行う識別部２８が設けられている。
【００１９】
処理機本体２は、搬送部２５の搬送路２７の端末位置に、識別部２８により真紙幣かつ正紙幣で正常搬送と識別された紙幣Ｓを金種混合で一時貯留させる一時貯留部３０が接続されている。この一時貯留部３０は、機体前面側から開閉可能な返却扉３１と、返却扉３１とで平面視枠状をなす壁部３２と、機体左右方向に水平にスライドすることで返却扉３１および壁部３２で囲まれた一時貯留空間３３の下部を開閉する一時貯留部シャッタ３４と、紙幣Ｓを下方に押し込む昇降可能な押込部３５とを有している。そして、処理機本体２には、各部を制御する制御部３６と、操作者による操作入力が行われる操作部３７と、操作者への表示を行う表示部３８とが設けられている。また、返却扉３１には、制御部３６でロックおよびロック解除が制御される返却扉ロック部３９が設けられている。
【００２０】
なお、装填部１２には、紙幣Ｓが分離繰出部２０の分離繰出方向に長手方向を沿わせる姿勢で装填されることになり、搬送部２５は紙幣Ｓをその長手方向を搬送方向に沿わせた姿勢で搬送し、その長手方向を放出方向に沿わせた姿勢で一時貯留部３０およびリジェクト部１３のいずれかに放出させる。勿論、紙幣Ｓを短手方向を搬送方向に沿わせた姿勢で搬送するようにしても良い。
【００２１】
そして、第１実施形態の収納カセット３は、処理機本体２の前面２Ａに設けられた開閉可能な扉体４０を開いた状態で処理機本体２に対し機体前後方向に出し入れされることになり、処理機本体２に装填された状態で一時貯留部３０の鉛直下方に配置される。以下、収納カセット３を処理機本体２に装填された状態をもって説明する。
【００２２】
図２に示すように、収納カセット３は、滑りの良い布製であって長さ方向一側に開口部４１を有する略有底角筒状に縫製された袋体４２を有している。この袋体４２は全体的に布製とされることで、三次元のいずれの方向にも変形容易となっているものの、外力を受けない状態では縫製によって有底角筒状をほぼ維持可能になっている。
【００２３】
収納カセット３は、袋体４２の開口部４１に取り付けられる金属製の枠体４３を有している。この枠体４３は、平面視が長方形枠状の下部構成体４４と、図３に示すように、この下部構成体４４に開閉可能にヒンジ部材４５を介してヒンジ結合された平面視が長方形枠状の上部構成体４６と、これら下部構成体４４および上部構成体４６を当接状態でロックする枠体ロック部４７と有している。枠体ロック部４７は、下部構成体４４および上部構成体４６を当接状態とするとこれに連動してロック状態となり、別体のキー４８により操作されてロック状態を解除可能となっている。
【００２４】
収納カセット３は、図２に示すように、その枠体４３が、処理機本体２に機体前後方向に沿う水平状態で固定されたガイドレール（支持手段）５０で案内されて処理機本体２内に配置されることになり、ガイドレール５０の上面に載置されて水平状態に支持されることになる。
【００２５】
下部構成体４４は、図３（ｃ）に示すように、下部の下枠部５２と上部の上枠部５３とを有しており、これら下枠部５２および上枠部５３は外側が同一形状をなし、内側の形状が、下枠部５２の方が上枠部５３よりも一回り小さい段差形状をなしている。その結果、これら下枠部５２および上枠部５３の間には上方に向く段面部５４が形成されており、この段面部５４には、上方に突出する係止突起部５５が所定の間隔で複数形成されている。そして、袋体４２は、図３（ｄ）に示すように、その開口部４１を形成する全周縁部が段面部５４を覆うようにして係止突起部５５に差し込まれて係止されることになり、この状態で下部構成体４４から下方に垂れ下がった状態となる。
【００２６】
上部構成体４６は、下枠部５８と上枠部５９と上板部６０とを有しており、外側の形状が、下枠部５８の方が上枠部５９よりも一回り小さい段差形状をなしている。上部構成体４６は、下部構成体４４側に最も揺動した状態で下枠部５８が下部構成体４４の上枠部５３の内側に嵌合することになり、この状態で、上部構成体４６の下枠部５８が係止突起部５５に係止された袋体４２の上方移動を規制し、係止突起部５５からの外れを規制する。なお、上部構成体４６ではなく、別途の角リング状の保持部材を下部構成体４４の上枠部５３の内側に固定して、この保持部材で係止突起部５５に係止された袋体４２の上方移動を規制し、係止突起部５５からの外れを規制しても良い。このように構成すれば上部構成体４６の下部構成体４４に対する揺動とは無関係に袋体４２の係止突起部５５からの外れを規制できる。
【００２７】
上部構成体４６には、図４に示すように、枠体４３の上板部６０の内側に形成された導入口６１を開閉するスライド式のカセットシャッタ（シャッタ）６４が設けられている。このカセットシャッタ６４は、上部構成体４６に形成されたガイド溝６５に沿って導入口６１を機体前後方向の一方から他方まで水平状態でスライドする平板状のスライド体６６と、このスライド体６６に回動軸６７を介して回動自在にヒンジ結合される揺動体６８とを有している。揺動体６８は、上部構成体４６に貫通形成された貫通溝６９から上部構成体４６に対して入出可能となっている。揺動体６８も上部構成体４６内に挿入された状態ではガイド溝６５に沿って水平にスライドする。揺動体６８は、平板状をなし回動軸６７を介してスライド体６６に連結される主板部７０と、主板部７０のスライド体６６とは反対側から垂直に折れ曲がる操作板部７１と、主板部７０の操作板部７１の折り曲げ方向とは反対側に突出するロック片部７２とを有している。
【００２８】
カセットシャッタ６４は、図４（ａ）に示すように、スライド体６６が上部構成体４６内において導入口６１よりも外側に位置した状態で揺動体６８が下方に回動可能となり、この状態で導入口６１を開放する。この状態から、揺動体６８を水平となるように回動させた状態で上部構成体４６内にカセットシャッタ６４を押し込むと、スライド体６６および揺動体６８が上部構成体４６に形成されたガイド溝６５に沿って水平移動して導入口６１を閉塞する。
【００２９】
上部構成体４６の一端側には、上記のように導入口６１を閉塞した状態のカセットシャッタ６４のロック片部７２の下側に、シャッタロック部材７５が回動軸７６によって回動可能に支持されている。このシャッタロック部材７５は、回動軸７６とは反対側に上方に突出するロック爪部７７が形成されており、回動軸７６側にも上方に突出する突出部７８が形成されている。突出部７８には回動軸７９を介して作動アーム８０の一端部が回動可能に連結されており、この作動アーム８０の他端部には回動軸８１を介してスライダ８２が回動可能に連結されている。このスライダ８２は、上部構成体４６に設けられたスライド溝８３に沿って水平方向にスライド可能とされている。
【００３０】
そして、スライダ８２にはこれをシャッタロック部材７５とは反対側に付勢するスプリング８５が上部構成体４６との間に介装されている。スライダ８２がスプリング８５の付勢力で最もシャッタロック部材７５とは反対側に位置した作動では作動アーム８０を介してシャッタロック部材７５が略水平に配置されており、この状態でカセットシャッタ６４が上部構成体４６に押し込まれると、カセットシャッタ６４のロック片部７２がシャッタロック部材７５のロック爪部７７に当たってその上側の傾斜面７７ａによってシャッタロック部材７５を回動させスライダ８２をスライドさせながら移動し、ロック爪部７７を過ぎるとシャッタロック部材７５およびスライダ８２がスプリング８５の付勢力で戻り、図４（ｃ）に示すように、ロック爪部７７がロック片部７２に係合する。これにより、シャッタロック部材７５がカセットシャッタ６４を閉状態でロックする。
【００３１】
上部構成体４６のスライダ８２の位置には、貫通穴８８が形成されており、枠体４３がガイドレール５０に沿って処理機本体２の当接板部９０に当接する奥位置まで装填されると、この貫通穴８８に進入してスライダ８２を押圧して移動させるロック解除片部９１が当接板部９０から突出している。つまり、このロック解除片部９１が貫通穴８８に進入してスライダ８２を押圧してスプリング８５の付勢力に抗してシャッタロック部材７５側に移動させると、作動アーム８０を介してシャッタロック部材７５がロック爪部７７を下方に移動させるように回動し、その結果、カセットシャッタ６４のロック片部７２からロック爪部７７が離間してロックが解除される。つまり、収納カセット３が枠体４３を当接板部９０に当接させる所定の装填位置（所定位置）に装填されると、処理機本体２に設けられたロック解除片部９１がシャッタロック部材７５によるカセットシャッタ６４の閉状態でのロックを解除する。
【００３２】
また、上部構成体４６には、挿入溝９３が形成されており、処理機本体２の当接板部９０には、当接板部９０の挿通穴９５から収納カセット３側に突出するカセットロック部材９６が収納カセット３とは反対側の回動軸９７で処理機本体２に回動可能に支持されている。このカセットロック部材９６は収納カセット３側の端部に下方に突出するロック爪部９８を有しており、スプリング９９で付勢されて挿通穴９５の下端部に当接することになり、この状態で全体として水平に沿う。収納カセット３が枠体４３を当接板部９０に当接させる所定の装填位置まで装填されると、閉状態のカセットシャッタ６４がロック爪部９８の下側の傾斜面９８ａに当接することになり、カセットロック部材９６は、図４（ｂ）に示すようにカセットシャッタ６４で押圧されてロック爪部９８を上側に移動させる。この状態からカセットシャッタ６４が開かれると、カセットロック部材９６は、図４（ａ）に示すようにカセットシャッタ６４による押圧が解除されるためスプリング９９の付勢力でロック爪部９８を下降させ収納カセット３をこの所定の装填位置にロックする。他方、この状態からカセットシャッタ６４が閉じられると、図４（ｂ）に示すようにカセットシャッタ６４で押圧されてカセットロック部材９６が傾斜面９８ａの傾斜でロック爪部９８を上側に移動させることになり、収納カセット３のロックを解除する。
【００３３】
上部構成体４６には、閉状態のカセットシャッタ６４の下側に、図２に示す一対のフラッパ１０１，１０２が回動軸１０３，１０４を中心に回動可能に設けられている。これらフラッパ１０１，１０２は、それぞれが支持される回動軸１０３，１０４から互いに近接する方向に延出し、平面視で導入口６１内に両側から突出する閉状態と、回動軸１０３，１０４を中心に下方に回動して平面視で導入口６１内から退避する開状態との間で回動可能とされ、閉状態となるように図示せぬネジリバネで付勢されている。
【００３４】
処理機本体２には、一時貯留部３０の鉛直下方位置つまり収納カセット３が装填される装填空間で昇降可能な可動ステージ（エレベータ手段）１０５が設けられている。
【００３５】
可動ステージ１０５は、図２および図５に示すように、収納カセット３の装着方向奥側である機体前後方向後側に配置される奥板部２０１と、この奥板部２０１の両側部から機体前後方向前側に延出する一対の側板部２０２とを有して平面視コ字状に形成されたベース２０３を有しており、図５に示すように、このベース２０３の両側板部２０２のそれぞれに上下二つのガイドローラ２０４，２０５が設けられている。ガイドローラ２０４，２０５は、鉛直方向に延在するガイドレール２０６で移動が案内されることになり、その結果、ベース２０３が一定姿勢を維持したままガイドレール２０６に沿って昇降する。
【００３６】
ベース２０３には、一対の側板部２０２の相互近接側に、収納カセット３の脱着方向である機体前後方向に離間して配置された一対の支持板部２１０とこれら支持板部２１０を連結させるとともに側板部２０２に固定される固定板部２１１とを有する平面視コ字状の支持部材２１２がそれぞれ固定されている。そして、各支持部材２１２には、機体前後方向の支持板部２１０同士を結ぶようにローラ２１３の軸２１４が回転可能に取り付けられている。ローラ２１３は、軸２１４に円筒状のゴム製のローラ本体２１５が嵌合固定されて構成されている。このようにして、軸２１４とローラ本体２１５とで構成されるローラ２１３が一対、収納カセット３の脱着方向に沿って水平に軸線を配し、しかも互いに同高さ且つ軸線方向の位置を合わせて設けられている。そして、一対のローラ２１３の各軸２１４の支持部材２１２から奥板部２０１側に突出する部分に、傘歯車２１６がそれぞれ固定されている。
【００３７】
また、ベース２０３には、一対の側板部２０２同士を結ぶように、奥板部２０１側に、奥板部２０１に沿って水平に回転軸２２０が設けられており、この回転軸２２０の各側板部２０２の内側位置には、対応する傘歯車２１６に噛み合う一対の傘歯車２２１が固定されている。また、回転軸２２０には、一対の側板部２０２の外側位置にそれぞれピニオンギヤ２２２が固定されており、各ピニオンギア２２２は、鉛直配置されたラックギア２２３に噛み合っている。これにより、ベース２０３つまり可動ステージ１０５が下降すると、この下降に連動してピニオンギヤ２２２および回転軸２２０が回転し、それぞれ傘歯車２２１，２１６を介して一対のローラ２１３が相互近接側を上向きに移動させるように同速度で回転する。逆に、可動ステージ１０５が上昇すると、これに連動して一対のローラ２１３が相互近接側を下向きに移動させるように同速度で回転する。
【００３８】
さらに、ベース２０３には、図２に示すように、可動ステージ１０５を上昇方向に付勢するスプリング２２５が取り付けられている。なお、処理機本体２の制御部３６は、図示略の位置センサの検出結果に基づいて可動ステージ１０５の昇降位置を把握する。
【００３９】
紙幣処理機１は、さらに、上記した収納カセット３の袋体４２を窄めた状態で止める図７に示すクリップ部材１１５を有している。このクリップ部材１１５は、袋とじ用の合成樹脂製のもので、ヒンジ部１１６で連結された一対の挟持部１１７，１１８を有しており、これら挟持部１１７，１１８の先端側には互いに係合可能な係合構造部１１９が設けられている。この係合構造部１１９は、爪部１２０と、爪部１２０を係止する係止穴１２１とを有しており、樹脂の可撓性によって互いに係合し、また樹脂の可撓性によって互いの係合が解除される。
【００４０】
以上の紙幣処理機１においては、処理機本体２の前面の扉体４０を開いた状態で、カセットシャッタ６４が閉状態とされた空の収納カセット３を処理機本体２内の所定の装填位置に装填する。つまり、収納カセット３の枠体４３をガイドレール５０上を摺動させて当接板部９０に当接するまで移動させる。すると、図４（ｂ）に示すように、収納カセット３の枠体４３内に処理機本体２のカセットロック部材９６が入り込み、シャッタカセット６４にロック爪部９８の傾斜面９８ａで乗り上げることでスプリング９９の付勢力に抗して上側に回動する。それとともに、枠体４３の貫通穴８８にロック解除片部９１が進入してスライダ８２を押圧してスプリング８５の付勢力に抗してシャッタロック部材７５側に移動させる。すると、作動アーム８０を介してシャッタロック部材７５がロック爪部７７を下方に移動させるように回動し、その結果、カセットシャッタ６４のロック片部７２からシャッタロック部材７５が離間してカセットシャッタ６４のロックが解除される。
【００４１】
このようにロックが解除されたカセットシャッタ６４を、図４（ａ）に示すように、処理機本体２の前面側に引き出すと、その初期においてカセットロック部材９６からカセットシャッタ６４が離れ、その結果、カセットロック部材９６がスプリング９９の付勢力でロック爪部９８を下方に移動させるように回動して、収納カセット３を処理機本体２の所定の装填位置にロックすることになる。なお、収納カセット３が装填位置に装填された状態で、閉状態のカセットシャッタ６４をシャッタロック部材７５の傾斜面９８ａに当接させるとともにスプリング９９の付勢力および傾斜面９８ａの傾斜角度を適宜設定することによって、ロック解除片部９１でカセットシャッタ６４のシャッタロック部材７５によるロックが解除されると同時に、カセットロック部材９６が傾斜面９８ａでカセットシャッタ６４を開方向にスライドさせながら下側に回動して収納カセット３を処理機本体２にロックするようにしても良い。
【００４２】
引き出されたカセットシャッタ６４は、スライド体６６が導入口６１から退避する位置に位置すると揺動体６８が全体として枠体４３よりも外側に位置し、回動軸６７を介して回動可能となって下方に延出する姿勢に折り畳まれる。
【００４３】
上記した装填時に、変形容易な袋体４２は、図６に示すように、上部の待機位置に位置する可動ステージ１０５の一対のローラ２１３間に挿入されることになり、これにより、袋体４２は中間部が一対のローラ２１３で窄められた状態となる。このとき、袋体４２の窄められた窄部１２３よりも上側が紙幣Ｓを収納する図２に示す収納空間１２２となり、袋体４２の窄められた窄部１２３が収納空間１２２の底部となる。
【００４４】
そして、例えば、紙幣Ｓの入金収納処理を行う場合には、操作者が装填部１２のビルプレス１７を持ち上げてこれと台部１５との間に紙幣Ｓを、その長手方向を機体前後方向に沿わせた状態で装填する。このとき、金種混合の装填および単一金種の装填のいずれも可能である。そして、操作者が操作部３７に入金開始の操作を入力すると、制御部３６が分離繰出部２０と搬送部２５とを駆動する。すると、装填部１２に装填された紙幣Ｓが最下のものから一枚ずつ機内に繰り出され、搬送部２５で搬送される。その途中で識別部２８により受け入れ可能と識別された紙幣Ｓが搬送路２７から一時貯留部３０内に放出され、それ以外の紙幣Ｓがリジェクト部１３に放出される。なお、リジェクト部１３に放出された紙幣Ｓはそのまま機外へ取り出し可能となる。
【００４５】
上記のようにして、装填部１２に装填された紙幣Ｓが、リジェクト部１３および一時貯留部３０のいずれかに放出されることですべてなくなると、制御部３６は、分離繰出部２０および搬送部２５を停止させて、識別部２８の識別結果に基づいて一時貯留部３０に一時貯留された紙幣Ｓの識別結果を表示部３８に表示させる。この表示を見て操作者がキャンセル操作を操作部３７に入力すると、制御部３６は返却扉ロック部３９で返却扉３１のロックを解除して開放可能とし、操作者が返却扉３１を開いて直接一時貯留部３０の紙幣Ｓを取り出すことになる。
【００４６】
他方、表示を見て操作者が承認操作を操作部３７に入力すると、制御部３６は一時貯留部シャッタ３４を開作動させることになり、一時貯留空間３３から、紙幣Ｓが下方に落下して、収納カセット３の導入口６１を通って閉状態の一対のフラッパ１０１，１０２上に載置される。続いて、制御部３６は、押込部３５を下降させて、フラッパ１０１，１０２上の紙幣Ｓをフラッパ１０１，１０２を下方に回動させながら押し込む。すると、紙幣Ｓは、フラッパ１０１，１０２を通過して、可動ステージ１０５で窄められた窄部１２３で底部が形成される袋体４２の収納空間１２２の底部または既に収納された紙幣Ｓ上に収納される。フラッパ１０１，１０２は紙幣Ｓが離れることでネジリバネの付勢力で水平状態に戻る。このとき、袋体４２の可動ステージ１０５で窄められた窄部１２３より下側に紙幣Ｓが進入することはない。
【００４７】
また、このとき、押込部３５の下降による紙幣Ｓを介しての押圧で、可動ステージ１０５とその一対のローラ２１３で窄められて形成される収納空間１２２の底部とが、押し込む紙幣量に応じて下降することになる。その際に、可動ステージ１０５の下降に連動してピニオンギヤ２２２が回転することになり、一対のローラ２１３が袋体４２と接触する相互近接側を上向きに移動させるように回転する。これにより、下降する一対のローラ２１３と、これらに対し相対的に上昇する袋体４２との摩擦力が軽減される。
【００４８】
その後、押込部３５が閉状態のフラッパ１０１，１０２間を通過しながら上昇し、この押込部３５の上昇によってスプリング２２５の付勢力で、可動ステージ１０５とその一対のローラ２１３で窄められて形成される収納空間１２２の底部とが上昇することになり、収納空間１２２内の紙幣Ｓは可動ステージ１０５の一対のローラ２１３上にある袋体４２の一部と一対のフラッパ１０１，１０２とで挟持されることになる。この上昇時にも、可動ステージ１０５の上昇に連動して一対のローラ２１３が袋体４２と接触する相互近接側を下向きに移動させるように回転する。これにより、上昇する一対のローラ２１３と、これらに対し相対的に下降する袋体４２との摩擦力が軽減される。
【００４９】
なお、以上の紙幣処理機１で紙幣Ｓの計数処理を行う場合は、上記と同様にして、装填部１２に装填された紙幣Ｓがすべてリジェクト部１３および一時貯留部３０に搬送されたら、一時貯留部３０から収納カセット３に紙幣Ｓを収納せずに、返却扉３１を開いて一時貯留部３０の紙幣Ｓを操作者に返却することになる。
【００５０】
上記のようにして紙幣Ｓを収納した収納カセット３を処理機本体２から取り出す場合には、まず、操作者は、扉体４０を開き、図４（ｂ）に示すように、揺動体６８を水平に持ち上げて枠体４３に押し込むことでカセットシャッタ６４を閉じる。すると、カセットシャッタ６４がカセットロック部材９６に当接してこれを揺動させ、収納カセット３の処理機本体２とのロックを解除する。次に、図７に示すクリップ部材１１５を用いて、その一対の挟持部１１７，１１８で袋体４２の可動ステージ１０５で窄められた窄部１２３に近いそれよりも下側部分を図８に示すように挟持し、挟持部１１７，１１８の係合構造部１１９を係合させる。そして、収納カセット３を扉体４０側に引き出す。すると、その初期に、図４（ｃ）に示すように枠体４３からロック解除片部９１が退避することになり、スライダ８２がスプリング８５の付勢力でシャッタロック部材７５から離間する方向に移動し、作動アーム８０を介してシャッタロック部材７５がカセットシャッタ６４を閉状態でロックすることになる。
【００５１】
収納カセット３を扉体４０側に引き出すと、袋体４２も可動ステージ１０５の一対のローラ２１３間から引き出されることになるが、クリップ部材１１５の挟持部１１７，１１８による挟持で窄められた部分が維持されるため、袋体４２に収納された紙幣Ｓが下方に落下するのを規制し、良好な収納状態を維持することになる。このようにして、導入口６１がカセットシャッタ６４で閉塞されることで紙幣Ｓの取り出しを不可とした状態で収納カセット３が運搬される。
【００５２】
そして、収納カセット３から紙幣Ｓを取り出す際には、図３（ｂ）に示すように、別途のキー４８で枠体ロック部４７による上部構成体４６と下部構成体４４とのロックを解除して、上部構成体４６をヒンジ部材４５を介して下部構成体４４に対し揺動させて開く。すると、カセットシャッタ６４およびフラッパ１０１，１０２を含む上部構成体４６が下部構成体４４から離れるため、袋体４２の紙幣Ｓを容易に取り出すことができる。
【００５３】
以上に述べた本実施形態の紙幣処理機１によれば、布製でいずれの方向にも変形容易な袋体４２と、袋体４２の開口部４１に取り付けられる金属製の枠体４３と、枠体４３の内側の導入口６１を開閉するスライド式のカセットシャッタ６４とを有する収納カセット３を、その枠体４３において、処理機本体２のガイドレール５０に支持させるとともに、処理機本体２の可動ステージ１０５で袋体４２の中間部を窄めた状態とする。すると、袋体４２の窄められた窄部１２３が収納空間１２２の底部となって導入口６１から導入された紙幣Ｓをその上側に収納する。そして、例えば収納量が多くなると押込部３５が紙幣Ｓを介して可動ステージ１０５を下降させることで袋体４２の窄部１２３つまり収納空間１２２の底部を下げることができ、収納空間１２２を拡大することができる。このように、紙幣Ｓの収納量に応じて収納空間１２２の大きさを設定できるため、紙幣Ｓの収納状態が乱雑になることなく良好に収納することができる。そして、空の状態の収納カセット３は、袋体４２が布製でいずれの方向にも変形容易であるため、変形自由度が高くて取扱性に優れることになり、また、一層小さく折り畳むことができることになって保管効率も優れることになる。
【００５４】
しかも、押込部３５が、可動ステージ１０５と、その一対のローラ２１３で窄められて形成される収納空間１２２の底部とを紙幣Ｓを介して下降させる際に、一対のローラ２１３は、可動ステージ１０５の下降に連動して、袋体４２と接触する側が袋体４２の相対移動方向である上向きに移動するように回転させられることになって、袋体４２との摩擦力が軽減されることになり、その結果、円滑に下降することになる。また、押込部３５が上昇することで、可動ステージ１０５と、その一対のローラ２１３で窄められて形成される収納空間１２２の底部とをスプリング２２５の付勢力で上昇させる際にも、一対のローラ２１３は、可動ステージ１０５の上昇に連動して、袋体４２と接触する相互近接側が袋体４２の相対移動方向である下向きに移動するように回転させられることになって袋体４２との摩擦力が軽減されることになり、その結果、円滑に上昇することになる。
【００５５】
加えて、収納カセット３を処理機本体２の所定の装填位置に装填すると、処理機本体２に設けられたロック解除片部９１がシャッタロック部材７５のロックを解除してカセットシャッタ６４を開放可能とし、カセットシャッタ６４を開放することで、カセットロック部材９６が収納カセット３を装填位置にロックする。よって、カセットシャッタ６４を開いて処理機本体２からの紙幣Ｓの導入が可能になるとともに処理機本体２からの収納カセット３の取り外しが規制される。この状態からカセットシャッタ６４を閉じると、カセットシャッタ６４がカセットロック部材９６の傾斜面９８ａを押圧しこの傾斜面９８ａがカセットロック部材９６による収納カセット３の処理機本体２へのロックを解除することになって、収納カセット３が取り外し可能となる。したがって、収納カセット３の運搬時にはカセットシャッタ６４は閉じられていることになり、保安上良好となる。
【００５６】
さらに、収納カセット３の処理機本体２からの取り外し前に、袋体４２の可動ステージ１０５で窄められた窄部１２３よりも下側部分を窄めた状態でクリップ部材１１５で止めることで、収納空間１２２の拡大を規制した上で、収納カセット３を処理機本体２から取り外すことができる。したがって、取り外した収納カセット３内で紙幣Ｓの収納状態が乱雑になるのを防止できる。
【００５７】
加えて、枠体４３の上部構成体４６および下部構成体４４の枠体ロック部４７による閉状態でのロックを解除すれば、カセットシャッタ６４が設けられた上部構成体４６が下部構成体４４に対し開放されて袋体４２の紙幣Ｓを取り出し可能となる。カセットシャッタ６４を開いた導入口６１よりも広い開口で紙幣Ｓを取り出し可能となり、紙幣Ｓの取り出しが容易となる。また、袋体４２が汚損、破損した場合でも、袋体４２の交換が容易となる。
【００５８】
次に、本発明の第２実施形態の紙幣処理機を図９を主に参照して以下に説明する。
第２実施形態の紙幣処理機では、可動ステージ１０５の構成が第１実施形態と相違している。つまり、第２実施形態の可動ステージ１０５には、両側の支持部材２１２に一対のローラとして第１実施形態のローラ２１３に換えて回転自在のフリーローラ２３０が設けられており、第１実施形態の傘歯車２１６，２２１，回転軸２２０、ピニオンギヤ２２２およびラックギヤ２２３は設けられていない。
【００５９】
このような第２実施形態においても、紙幣収納時に、押込部３５が下降して、フラッパ１０１，１０２上の紙幣Ｓをフラッパ１０１，１０２を下方に回動させながら押し込むと、紙幣Ｓは、フラッパ１０１，１０２を通過して、可動ステージ１０５で窄められた窄部１２３で底部が形成される袋体４２の収納空間１２２に収納されることになるが、このとき、押込部３５の下降による紙幣Ｓを介しての押圧で可動ステージ１０５と、その一対のローラ２３０で窄められて形成される収納空間１２２の底部とが紙幣量に応じた分だけ下降することになり、その際に相対的に上昇する袋体４２との摩擦で摩擦力を軽減するように一対の回転自在のフリーローラ２３０が袋体４２と接触する相互近接側を上向きに移動させるように回転する。これにより、一対のフリーローラ２３０と、これに対し相対的に上昇する袋体４２との摩擦力が軽減される。
【００６０】
その後、押込部３５が閉状態のフラッパ１０１，１０２間を通過しながら上昇すると、スプリング２２５の付勢力で可動ステージ１０５も上昇することになるが、この上昇時にも、相対的に下降する袋体４２との摩擦で摩擦力を軽減するように一対の回転自在のフリーローラ２３０が袋体４２と接触する相互近接側を下向きに移動させるように回転する。これにより、一対のフリーローラ２３０と、これに対し相対的に下降する袋体４２との摩擦力が軽減される。
【００６１】
以上に述べた第２実施形態の紙幣処理機１によれば、押込部３５が、可動ステージ１０５と、その一対のフリーローラ２３０で窄められて形成される収納空間１２２の底部とを紙幣Ｓを介して下降させる際に、一対のフリーローラ２３０は、袋体４２との摩擦によって、袋体４２と接触する側が袋体４２の相対移動方向である上向きに回転させられることになって袋体４２との摩擦力が軽減されることになり、円滑に下降することになる。また、押込部３５が上昇することで、可動ステージ１０５と、その一対のローラ２３０で窄められて形成される収納空間１２２の底部とをスプリング２２５の付勢力で上昇させる際にも、一対のフリーローラ２３０は、袋体４２との摩擦によって、袋体４２と接触する相互近接側が袋体４２の相対移動方向である下向きに移動するように回転させられることになって袋体４２との摩擦力が軽減されることになり、円滑に上昇することになる。
【００６２】
しかも、一対のフリーローラ２３０は、実際の袋体４２の相対移動による摩擦力に応じてこれを最小限にするように回転することになるため、袋体４２のセット状態によらず、摩擦力を最小限にできる。しかも、可動ステージ１０５の昇降に連動してローラを回転させるための傘歯車、回転軸、ピニオンギヤおよびラックギヤが不要となるため、低コスト化が図れる。
【００６３】
上記第１，第２実施形態の紙幣処理機１を以下のように変更することも可能である。
【００６４】
図１０に示すように、収納カセット３の袋体４２にキー１２５でロックおよびロック解除が可能なファスナ１２６を設け、このファスナ１２６を開けることで紙幣Ｓを取り出すようにしても良い。
【００６５】
また、収納カセット３の処理機本体２からの取り外し前に、袋体４２の可動ステージ１０５で窄められた窄部１２３よりも下側部分を窄めた状態で保持するために、クリップ部材１１５にかえて、図１１に示すように、袋体４２を窄めた状態とする昇降可能なリング部材１２８を設けても良い。このリング部材１２８は、その内側に袋体４２が挿入されることになり、内周面から突出する複数の先細の突起部１２９で袋体４２に引っ掛かることで位置を保持可能となっている。このようなリング部材１２８を可動ステージ１０５の直ぐ下側に配置して収納カセット３を処理機本体２に装填すれば、可動ステージ１０５が紙幣Ｓの収納量に応じて下降すると、リング部材１２８を下降させることになって、収納カセット３の取り外し時に、可動ステージ１０５で窄められた窄部１２３の直ぐ下側部分を窄めた状態で保持することができる。なお、このリング部材１２８の脱落を防止するためにリング部材１２８の外側において袋体４２の上端部と下端部とを結ぶ紐状の脱落防止部材１３０が取り付けられている。
【００６６】
さらに、クリップ部材１１５にかえて、図１２に示すように、袋体４２を窄めた状態とする昇降可能な紐状部材１３１を設けても良い。この紐状部材１３１は、一本の両端側がボタン１３２を有するロック部材１３３に挿入されており、ロック部材１３３はボタン１３２が押圧操作されない状態で紐状部材１３１にロックされ、ボタン１３２が押圧操作されると紐状部材１３１に対しスライド可能になる。紐状部材１３１には、その中間部とロック部材１３３とで形成された管状部１３４の内側に袋体４２が挿入されることになり、ロック部材１３３で管状部１３４を小さくすることで袋体４２を窄めた状態とする。この紐状部材１３１を用いる場合には、収納カセット３の処理機本体２への装填時には紐状部材１３１を袋体４２の下端部に位置させておき、収納カセット３を処理機本体２から取り出す際に、操作者が袋体４２の可動ステージ１０５で窄められた窄部１２３よりも下側部分を、管状部１３４を小さくすることで窄めた状態とする。なお、紐状部材１３１の脱落を防止するために紐状部材１３１の外側において袋体４２の上端部と下端部とを結ぶ紐状の脱落防止部材１３５が取り付けられている。
【００６７】
加えて、図示は略すが可動ステージ１０５の下面側に袋体４２を窄めた状態でテープで止めるテープ止め機構を設けても良い。このテープ止め機構は袋体４２の処理機本体２への挿入時にはテープを止めず、処理機本体２から引き出す際にテープ止めするものを用いることができる。例えば、袋の絞った部分を溝を通すことによってテープを巻き付け、引き抜くときにテープを切断するバッグシーラを利用することができる。あるいは、可動ステージ１０５の下面側に、スプリングで一対の挟持部を閉方向に付勢したクリップ部材を開状態で保持する保持機構を設け、処理機本体２へ袋体４２を挿入した後に、クリップ部材を、ヒンジ側を引き抜き方向にして保持機構に保持することで袋体４２の引き抜き時に袋体４２でクリップ部材を一緒に引き出し、保持機構から外すことでスプリングの付勢力で一対の挟持部で袋体４２を挟持するようにしても良い。さらに、ゴムバンドを巻回することで袋体４２を窄めた状態に保持するようにしても良い。このゴムバンドは空の収納カセット３を運ぶ際に枠体４３を袋体４２で刳るんだ状態でその周囲に巻回されると衝撃の緩衝材として機能する。
【００６８】
さらに、袋体４２内に紐を底部を通るように数カ所通しておき、底部を枠体４３に近づけるように締め上げる構造としても良い。
【図面の簡単な説明】
【００６９】
【図１】本発明の第１実施形態の紙幣処理機を概略的に示す側断面図である。
【図２】本発明の第１実施形態の紙幣処理機の要部を示す側断面図である。
【図３】本発明の第１実施形態の紙幣処理機の収納カセットの枠体を示すもので、（ａ）は閉状態の側面図、（ｂ）は開状態の側面図、（ｃ）は下部構成体の平面図、（ｄ）は下部構成体を断面とした側面図である。
【図４】本発明の第１実施形態の紙幣処理機の要部を示すもので、（ａ）は収納カセットを装填位置に装填しカセットシャッタを開いた状態を示す側断面図、（ｂ）は収納カセットを装填位置に装填しカセットシャッタを閉じた状態を示す側断面図、（ｃ）は収納カセットを装填位置から離間させた状態を示す側断面図である。
【図５】本発明の第１実施形態の紙幣処理機の可動ステージを示す収納カセットの袋体を挿入する前の状態を示す斜視図である。
【図６】本発明の第１実施形態の紙幣処理機の可動ステージを示す収納カセットの袋体を挿入した後の状態を示す斜視図である。
【図７】本発明の第１実施形態の紙幣処理機の一部を構成するクリップ部材を示す斜視図である。
【図８】本発明の第１実施形態の紙幣処理機の要部を示す側断面図であってクリップ部材を取り付けた状態を示すものである。
【図９】本発明の第２実施形態の紙幣処理機の可動ステージを示す斜視図である。
【図１０】本発明の第１，第２実施形態の紙幣処理機の収納カセットの別の例を示す斜視図である。
【図１１】本発明の第１，第２実施形態の紙幣処理機の収納カセットのさらに別の例を示す斜視図である。
【図１２】本発明の第１，第２実施形態の紙幣処理機の収納カセットのさらに別の例を示す斜視図である。
【符号の説明】
【００７０】
Ｓ  紙幣
１  紙幣処理機
２  処理機本体
３  収納カセット
４１  開口部
４２  袋体
４３  枠体
５０  ガイドレール（支持手段）
６１  導入口
６４  カセットシャッタ（シャッタ）
１０５  可動ステージ（エレベータ手段）
２１３  ローラ
２３０  フリーローラ（ローラ）
【図１】
2008171334.tif 000003
【図２】
2008171334.tif 000004
【図３】
2008171334.tif 000005
【図４】
2008171334.tif 000006
【図５】
2008171334.tif 000007
【図６】
2008171334.tif 000008
【図７】
2008171334.tif 000009
【図８】
2008171334.tif 000010
【図９】
2008171334.tif 000011
【図１０】
2008171334.tif 000012
【図１１】
2008171334.tif 000013
【図１２】
2008171334.tif 000014